(57)【要約】【課題】  印字された記録用紙が長尺であっても、雨水によって濡れないように保護することができるようにする。【解決手段】  用紙排出口１８が設けられた部分の本体ケース１の上面から用紙ホルダ１３の後方を経て本体ケース１の下面に亘って覆う防滴カバー１５を、本体ケース１の後部側に着脱可能に取り付ける。従って、用紙排出口１８から送り出された印字済の記録用紙１２を防滴カバー１５内に収納することができる。このため、印字された記録用紙１２が長尺であっても、防滴カバー１５によって印字された記録用紙１２が外部に露出しないように覆うことができる。これにより、雨天のときに屋外で使用しても、印字された記録用紙１２が雨水によって濡れないように確実に保護することができる。【選択図】        図４
2005288992.tif 000002
【特許請求の範囲】
【請求項１】
印字ヘッドで記録用紙に情報を印字し、この印字された前記記録用紙を機器本体の上面に設けられた用紙排出口から送り出すプリンタ部を備えた携帯型電子機器において、
前記用紙排出口が設けられた部分の前記機器本体の上面から前記機器本体の後方を経て前記機器本体の下面に亘って覆った状態で、前記機器本体に着脱可能に取り付けられ、前記用紙排出口から送り出された印字済の前記記録用紙を収納する防滴カバーを備えていることを特徴とする携帯型電子機器。
【請求項２】
前記防滴カバーは、前記機器本体の上部後側を覆う上部カバーと前記機器本体の下部後側を覆う下部カバーとを備え、前記上部カバーと前記下部カバーとがヒンジ部によって回動可能に取り付けられていることを特徴とする請求項１に記載の携帯型電子機器。
【請求項３】
前記上部カバーと前記下部カバーとの各縁部には、前記機器本体の外表面に密着する防水パッキンが設けられていることを特徴とする請求項２に記載の携帯型電子機器。
【請求項４】
前記機器本体には、前記用紙排出口から送り出された印字済の前記記録用紙を前記防滴カバーの内面に沿ってガイドする用紙ガイド部材が着脱可能に取り付けられていることを特徴とする請求項１〜３のいずれかに記載の携帯型電子機器。
【請求項５】
前記用紙ガイド部材には、印字済の前記記録用紙を前記機器本体の前記後方における上部側から下部側に亘ってガイドするガイドシートが設けられていることを特徴とする請求項４に記載の携帯型電子機器。
【請求項６】
前記防滴カバーの後部下側に位置する内側角部には、その側面から下面に向けて印字済の前記記録用紙をほぼ直角に屈曲させてガイドする用紙ガイドリブが設けられていることを特徴とする請求項１〜５のいずれかに記載の携帯型電子機器。
【請求項７】
前記用紙ガイド部材の両側面には、前記上部カバーの両側内面に向けて突出する突起部が設けられ、前記上部カバーの両側内面には、前記ヒンジ部を中心に前記上部カバーが回動するときに、前記突起部に接触して前記上部カバーの両側部を押し広げるカバーガイドリブが設けられていることを特徴とする請求項４〜６のいずれかに記載の携帯型電子機器。
【発明の詳細な説明】
【技術分野】
【０００１】
この発明は、携帯型情報端末機などの携帯型電子機器に関する。
【背景技術】
【０００２】
例えば、携帯型情報端末機においては、片手で持てる程度の大きさの機器本体に入力表示部およびプリンタ部を設け、入力表示部で入力された情報を入力表示部に表示すると共に、この表示された情報をプリンタ部で記録用紙に印字し、この印字された記録用紙を機器本体の用紙排出口から機器本体の外部に排出して、レシートなどの記録紙として発行すように構成されているものがある。
【０００３】
このような携帯型情報端末機では、機器本体を片手で持って操作することできることにより、屋内でも屋外でも手軽に使用することができ、これに伴って雨天のときにも屋外で良好に使用できるように、防滴性を確保する必要がある。このような要望に応えるために、特許文献１の携帯型情報端末機においては、用紙排出口が設けられた部分の機器本体の上面側を覆う防滴カバーを機器本体に開閉可能に取り付け、この防滴カバーによって用紙排出口から排出された記録用紙を覆うように構成されている。
【特許文献１】特開２００１−１３００５７号公報
【発明の開示】
【発明が解決しようとする課題】
【０００４】
しかしながら、このような従来の携帯型情報端末機では、防滴カバーが用紙排出口に対応する部分の機器本体の上面側を覆うだけの構造であるから、印字された記録用紙が長尺の場合、記録用紙が機器本体の上面から後方に送られ、この送られた記録用紙が機器本体の後端面から下方に垂れ下がり、この垂れ下がった記録用紙が防滴カバーから外部に露出する。このため、雨天のときに屋外で使用する場合には、印字された記録用紙を防滴カバーで完全に覆って保護することができず、印字された記録用紙が濡れてしまうとうい問題がある。
【０００５】
この発明が解決しようとする課題は、印字された記録用紙が長尺であっても、雨水によって濡れないように保護することができる携帯型電子機器を提供することである。
【課題を解決するための手段】
【０００６】
この発明は、上記課題を解決するために、次のような構成要素を備えている。
なお、各構成要素には、後述する実施形態の項で説明される各要素に付されている図面の参照番号などを括弧と共に付す。
【０００７】
請求項１に記載の発明は、図１〜図１３に示すように、印字ヘッド（１６）で記録用紙（１２）に情報を印字し、この印字された前記記録用紙を機器本体（本体ケース１）の上面に設けられた用紙排出口（１８）から送り出すプリンタ部（１０）を備えた携帯型電子機器において、前記用紙排出口が設けられた部分の前記機器本体の上面から前記機器本体の後方を経て前記機器本体の下面に亘って覆った状態で、前記機器本体に着脱可能に取り付けられ、前記用紙排出口から送り出された印字済の前記記録用紙を収納する防滴カバー（１５）を備えていることを特徴とする携帯型電子機器である。
【０００８】
請求項２に記載の発明は、図１〜図１３に示すように、前記防滴カバー（１５）が、前記機器本体（本体ケース１）の上部後側を覆う上部カバー（２７）と前記機器本体の下部後側を覆う下部カバー（２８）とを備え、前記上部カバーと前記下部カバーとをヒンジ部（カバーヒンジ部２９）によって回動可能に取り付けたことを特徴とする請求項１に記載の携帯型電子機器である。
【０００９】
請求項３に記載の発明は、図１〜図１３に示すように、前記上部カバー（２７）と前記下部カバー（２８）との各縁部に、前記機器本体（本体ケース１）の外表面に密着する防水パッキン（３０）が設けられていることを特徴とする請求項２に記載の携帯型電子機器である。
【００１０】
請求項４に記載の発明は、図１〜図１３に示すように、前記機器本体（本体ケース１）に、前記用紙排出口（１８）から送り出された印字済の前記記録用紙（１２）を前記防滴カバー（１５）の内面に沿ってガイドする用紙ガイド部材（３１）が着脱可能に取り付けられていることを特徴とする請求項１〜３のいずれかに記載の携帯型電子機器である。
【００１１】
請求項５に記載の発明は、図１〜図１３に示すように、前記用紙ガイド部材（３１）に、印字済の前記記録用紙（１２）を前記機器本体（本体ケース１）の前記後方における上部側から下部側に亘ってガイドするガイドシート（３５）が設けられていることを特徴とする請求項４に記載の携帯型電子機器である。
【００１２】
請求項６に記載の発明は、図１〜図１３に示すように、前記防滴カバー（１５）の後部下側に位置する内側角部に、その側面から下面に向けて印字済の前記記録用紙（１２）をほぼ直角に屈曲させてガイドする用紙ガイドリブ（３８）が設けられていることを特徴とする請求項１〜５のいずれかに記載の携帯型電子機器である。
【００１３】
請求項７に記載の発明は、図１〜図１３に示すように、前記用紙ガイド部材（３１）の両側面には、前記上部カバー（２７）の両側内面に向けて突出する突起部（４１）が設けられ、前記上部カバーの両側内面には、前記ヒンジ部（カバーヒンジ部２９）を中心に前記上部カバーが回動するときに、前記突起部に接触して前記上部カバーの両側部を押し広げるカバーガイドリブ（４２）が設けられていることを特徴とする請求項４〜６のいずれかに記載の携帯型電子機器である。
【発明の効果】
【００１４】
請求項１に記載の発明によれば、用紙排出口が設けられた部分の機器本体の上面から機器本体の後方を経て機器本体の下面に亘って覆う防滴カバーを、機器本体に着脱可能に取り付けることにより、用紙排出口から送り出された印字済の記録用紙を防滴カバー内に収納することができ、これにより印字された記録用紙が長尺であっても、防滴カバーによって印字された記録用紙が外部に露出しないように覆うことができる。このため、雨天のときに屋外で使用しても、印字された記録用紙が雨水によって濡れないように確実に保護することができる。
【００１５】
請求項２に記載の発明によれば、防滴カバーが、機器本体の上部後側を覆う上部カバーと機器本体の下部後側を覆う下部カバーとを備え、上部カバーと下部カバーとをヒンジ部によって回動可能に取り付けたことにより、記録用紙を交換するときに、防滴カバーを機器本体から取り外す必要がなく、ヒンジ部を中心に上部カバーを回動させて開くことにより、記録用紙を容易に交換することができるので、使い勝手の良いものを得ることができる。
【００１６】
請求項３に記載の発明によれば、上部カバーと下部カバーとの各縁部に、機器本体の外表面に密着する防水パッキンが設けられていることにより、上部カバーと下部カバーとを閉じて機器本体の外表面を覆うと、防水パッキンが機器本体の外表面に密着するので、上部カバーと下部カバーとがヒンジ部によって回動可能に取り付けられていても、防滴性を確保することができる。
【００１７】
請求項４に記載の発明によれば、機器本体に用紙排出口から送り出された印字済の記録用紙を防滴カバーの内面に沿ってガイドする用紙ガイド部材が着脱可能に取り付けられていることにより、用紙排出口から送り出された印字済の記録用紙を防滴カバーの内面に沿って円滑にガイドすることができる。このため、搬送時における記録用紙のひっかかりを防ぐと共に記録用紙の摩擦抵抗をも軽減することができ、これによりプリンタ部の搬送力が弱くても良好に記録用紙を搬送することができると共に、プリンタ部の消費電力を抑えることができ、このため電池寿命の向上が図れると共に、電池残量が少なくても安定した状態で印字や用紙の搬送ができる。
【００１８】
請求項５に記載の発明によれば、用紙ガイド部材に、印字済の記録用紙を機器本体の後方における上部側から下部側に亘ってガイドするガイドシートが設けられていることにより、機器本体の後部側に凹凸部などの障害物が存在していても、この障害物をガイドシートで覆うことができ、これにより印字された記録用紙をガイドシートによって円滑にガイドすることができるので、請求項４に記載の発明と同様、搬送時における記録用紙のひっかかりを防ぐと共に記録用紙の摩擦抵抗をも軽減することができ、これによってもプリンタ部の消費電力を抑えて電池寿命の向上を図ることができる。
【００１９】
請求項６に記載の発明によれば、防滴カバーの後部下側に位置する内側角部には、その側面から下面に向けて印字済の記録用紙をほぼ直角に屈曲させてガイドする用紙ガイドリブが設けられていることにより、防滴カバーの後部下側に位置する内側角部がその側面から下面に向けてほぼ直角に折れ曲がっていても、用紙ガイドリブによって記録用紙を滑らかに側面から下面に向けてガイドすることができ、これによっても搬送時における記録用紙のひっかかりを防ぐと共に記録用紙の摩擦抵抗をも軽減することができるので、より一層、プリンタ部の消費電力を抑えて電池寿命の向上を図ることができる。
【００２０】
請求項７に記載の発明によれば、用紙ガイド部材の両側面には上部カバーの両側内面に向けて突出する突起部が設けられ、上部カバーの両側内面にはヒンジ部を中心に上部カバーが回動するときに、突起部に接触して上部カバーの両側部を押し広げるカバーガイドリブが設けられていることにより、下部カバーに対し上部カバーを開閉するときに、上部カバーに設けられた防水パッキンが機器本体の両側面に密接して摺動するのを防ぐことができ、これにより防水パッキンの摩耗を防ぎ、耐久性の向上を図ることができる。
【発明を実施するための最良の形態】
【００２１】
以下、図１〜図１３を参照して、この発明の携帯型電子機器を携帯型情報端末機に適用した実施形態について説明する。
図１はこの発明の携帯型情報端末機の外観斜視図、図２は図１の携帯型端末機に防滴カバーを装着した要部の斜視図、図３は図２の要部を分解した斜視図、図４は図２のＡ−Ａ矢視における拡大断面図である。
この携帯型情報端末機は、図１に示すように、本体ケース１を備えている。この本体ケース１は、片手で持てる程度の大きさで、その左右両側の中間部分がくびれて、手前側の横幅が後部側の横幅よりも狭い形状に形成されている。
【００２２】
この本体ケース１の上面における中央部には、図１に示すように、入力表示部２が表示用開口部３に対応して設けられており、この入力表示部２の手前側（図１では下辺側）における本体ケース１の上面には、キー入力部４が設けられている。また、この本体ケース１の上面における入力表示部２の後方側（図１では上辺側）には、スピーカ部５、押釦スイッチ６、および表示ランプ７が左右方向に並んで設けられており、この本体ケース１の側面には、図１に示すように、各種の外部機器と接続するための複数のコネクタ部８が設けられているほか、各種の押釦スイッチ９も設けられている。
【００２３】
この場合、入力表示部２は、液晶表示素子やＥＬ表示素子（エレクトロルミネッセンス示素子）などの平面型の表示素子からなる表示パネルの上面に透明なタッチパネルを重ね合わせた構造で、本体ケース１の表示用開口部３を通して入力ペンや指先などでタッチパネルを接触操作することにより、情報が入力されると共に、この透明なタッチパネルを通して表示パネルに表示された情報が本体ケース１の外部上方から見えるように構成されている。また、キー入力部４は、文字キー、数字キーなどの各種のキーが配列され、これらのキーを操作することにより、文字や数字などの情報を入力するように構成されている。
【００２４】
一方、この本体ケース１の内部には、図４に示すように、プリンタ部１０とカード収納部１１とが本体ケース１の後端部（図では上辺側の端部）に開放されて設けられている。この場合、プリンタ部１０は本体ケース１内の上部側に設けられており、カード収納部１１は本体ケース１内におけるプリンタ部１０の下側に設けられている。また、この本体ケース１の後端部には、図１〜図４に示すように、ロール状に巻かれた記録用紙１２を収納する用紙ホルダ１３、およびカード収納部１１のカード挿入口を開閉可能に塞ぐカード蓋１４が取り付けられていると共に、この用紙ホルダ１３およびカード蓋１４を覆う防滴カバー１５が着脱可能に取り付けられている。
【００２５】
プリンタ部１０は、図４に示すように、本体ケース１の後端部内に設けられた印字ヘッド１６と、用紙ホルダ１３の前端部側に設けられたプラテンローラ１７とを備え、本体ケース１の後端部に用紙ホルダ１３が取り付けられると、印字ヘッド１６にプラテンローラ１７が接離可能に接近して配置される。これにより、プリンタ部１０は、印字ヘッド１６とプラテンローラ１７との間に用紙ホルダ１３内の記録用紙１２が送り込まれると、この送り込まれた記録用紙１２に印字ヘッド１６が情報を印字すると共に、この印字ヘッド１６の印字速度に応じてプラテンローラ１７が回転して記録用紙１２を搬送し、印字された記録用紙１２を本体ケース１の上面に設けられた用紙排出口１８から外部上方に送り出すように構成されている。
【００２６】
カード収納部１１は、図４に示すように、通信用カード１９が挿脱可能に挿入するものであり、本体ケース１内にその長手方向に沿って設けられ、通信用カード１９が外部（図４では右側）から差し込まれると、その奥部（図４では左側部）に設けられたカードコネクタ（図示せず）に電気的に接続され、これにより外部機器との間でデータを送受信するように構成されている。この場合、通信用カード１９は、カード収納部１１内に差し込まれた状態で、その通信部分が本体ケース１の後端部から外部に突出し、この突出した通信部分が用紙ホルダ１３の下側に配置され、この状態でカード蓋１４によって開閉可能に覆われるように構成されている。
【００２７】
用紙ホルダ１３は、図１〜図４に示すように、本体ケース１の後端部に取り付けられる下部ホルダ２０と、この下部ホルダ２０にホルダヒンジ部２１によって回動可能に取り付けられる上部ホルダ２２とからなっている。この場合、下部ホルダ２０の上部には、図４に示すように、ロール状の記録用紙１２が配置される用紙受部２３が設けられており、この用紙受部２３には、ロール状の記録用紙１２を位置規制するストッパローラ２４が回転自在に配置されている。また、この下部ホルダ２０の下部には、カード収納部１１から突出した通信用カード１９の通信部分が対応するカード受部２５が設けられている。
【００２８】
また、上部ホルダ２２は、図４に示すように、上方に向けて凸となる半円筒状に形成され、その後端部（図４では右端部）が下部ホルダ２０の後端部に設けられたホルダヒンジ部２１に図９に示すアーム部２２ａを介して上下方向に回動可能に取り付けられ、ホルダヒンジ部２１を中心に回動して閉じたときに、下部ホルダ２０上に配置された記録用紙１２を開閉可能に覆うように構成されている。この場合、下部ホルダ２０の両側面には、図１に示すように、ホルダロック部材２６がスライド可能に設けられている。このホルダロック部材２６は、上部ホルダ２２を下部ホルダ２０に対し閉じたときに、その両者をロックするように構成されている。また、カード蓋１４は、用紙ホルダ１３の下部ホルダ２０に設けられたカード受部２５を開閉可能に覆うものであり、図９に示すように、上部ホルダ２２の回動中心である共通のホルダヒンジ部２１に回動可能に取り付けられている。
【００２９】
ところで、用紙ホルダ１３およびカード蓋１４を覆う防滴カバー１５は、図２〜図６に示すように、用紙排出口１８に対応する部分の本体ケース１の上面から本体ケース１の後部に設けられた用紙ホルダ１３の後方を経てカード蓋１４の下面から本体ケース１の下面に亘る部分を覆った状態で、本体ケース１の後部側（図２では右側）に着脱可能に取り付けられ、これにより用紙排出口１８から送り出された印字済の記録用紙１２を防滴カバー１５の内面に沿って収納するように構成されている。
【００３０】
この場合、防滴カバー１５は、図２および図３に示すように、本体ケース１の後部および用紙ホルダ１３の各上部側を覆う上部カバー２７と、本体ケース１の後部および用紙ホルダ１３の各下部側を覆う下部カバー２８とを備え、上部カバー２７と下部カバー２８とがカバーヒンジ部２９によって回動可能に取り付けられている。また、この防滴カバー１５は、図２および図３に示すように、上部カバー２７と下部カバー２８とを閉じたときに、下部カバー２８にスライド可能に設けられたカバーロック部材４３が上部カバー２７に設けられた係止突起４４を係脱可能に係止することにより、上部カバー２７を下部カバー２８に対しロックするように構成されている。
【００３１】
さらに、この防滴カバー１５の上部カバー２７と下部カバー２８との各縁部には、図５および図６に示すように、ゴムなどからなる防水パッキン３０が設けられている。この防水パッキン３０は、本体ケース１の外表面に密着すると共に、上部カバー２７と下部カバー２８との対向面にも密着するように構成されている。特に、上部カバー２７の側面に位置する縁部に設けられた防水パッキン３０は、図８〜図１２に示すように、上部カバー２７がカバーヒンジ部２９を中心に回動して閉じたときに、本体ケース１の左右の両側面に密着するように構成されている。
【００３２】
一方、用紙ホルダ１３には、図３および図４に示すように、本体ケース１の用紙排出口１８から送り出された印字済の記録用紙１２を防滴カバー１５の上部カバー２７の内面に沿ってガイドする用紙ガイド部材３１が着脱可能に取り付けられている。すなわち、この用紙ガイド部材３１は、用紙ホルダ１３の上部ホルダ２２と同様、上方に向けて凸となる半円筒状に形成され、その左右の両側面に取付孔３２が設けられ、この取付孔３２に上部ホルダ１３の両側面に設けられた支持軸３３が挿入して、上部ホルダ２２を覆った状態で上部ホルダ２２に装着され、これにより上部ホルダ２２の開閉動作に伴って一体的に動作するように構成されている。
【００３３】
また、この用紙ガイド部材３１は、図４に示すように、上部ホルダ２２にこれを覆って装着されることにより、用紙ガイド部材３１の上面と防滴カバー１５の上部カバー２７の内面との間に記録用紙１２を搬送する用紙搬送路３４を形成するように構成されている。この場合、用紙ガイド部材３１の前側上面（図３では左側上面）には、上部ホルダ２２の上面に設けられた開閉用の凹凸部２２ａを露出させるための開口部３１ａが設けられている。この開口部３１ａは、上部ホルダ２２の凹凸部２２ａが用紙ガイド部材３１の表面から突出しないように形成されていると共に、その下部側が広く、上部側が次第に狭くなる形状に形成され、これにより本体ケース１の用紙排出口１８から送り出された記録用紙１２を滑らかにガイドするように構成されている。
【００３４】
さらに、この用紙ガイド部材３１には、図４および図７に示すように、印字済の記録用紙１２を用紙ホルダ１３の後方における上部側から下部側に亘ってガイドするガイドシート３５が設けられている。このガイドシート３５は、ＰＥＴ（ポリエチレンテレフタレート）などの合成樹脂からなり、その上部側が用紙ガイド部材３１にその幅方向に沿って設けられたスリット孔３６を通して用紙ガイド部材３１内に挿入され、この挿入された上端部側が用紙ガイド部材３１の内面に接着され、これにより印字された記録用紙１２がガイドシート３５の上部側の先端にひっかからないように構成されている。
【００３５】
また、このガイドシート３５は、図４および図７に示すように、スリット孔３６から露出した部分が用紙ガイド部材３１の後部外面に接着され、その下端部が用紙ガイド部材３１の後部下側に垂れ下がり、この垂れ下がった下端部が後述する下部ガイド部材３７の後方（図４では右側）に位置することにより、下部ガイド部材３７を覆うように構成されている。これにより、ガイドシート３５は、図４に示すように、用紙ガイド部材３１の下方に下部ガイド部材３７が配置されていても、この下部ガイド部材３７に記録用紙１２がひっかからずに、記録用紙１２を防滴カバー１５の下部カバー２８の内側下部にガイドするように構成されている。
【００３６】
さらに、防滴カバー１５の下部カバー２８における後部下側に位置する内側角部には、図６に示すように、複数の用紙ガイドリブ３８が左右の幅方向に沿って等間隔で設けられている。すなわち、この用紙ガイドリブ３８は、図４および図６に示すように、ほぼ三日月状に形成され、下部カバー２８の下部側面から下部カバー２８の下部上面に向けて印字済の記録用紙１２をほぼ直角に屈曲させてガイドするように構成されている。また、下部カバー２８には、下部ガイド部材３７が用紙ガイドリブ３８の上方に離間対向して取り付けられている。この下部ガイド部材３７は、図４〜図６に示すように、用紙ホルダ１３のホルダヒンジ部２１に記録用紙１２が当接するのを防ぐ縦ガイド片３９と、用紙ガイドリブ３８でガイドされた記録用紙１２がカード収納部１１のカード蓋１４に当接するのを防ぐ下部ガイド片４０とからなっている。
【００３７】
この場合、縦ガイド片３９は、図４および図５に示すように、ガイドシート３５の内面側（図４では左側）に配置され、用紙ホルダ１３のホルダヒンジ部２１を中心に上部ホルダ２２を回動させて開いたときに、上部ホルダ２２のアーム部２２ａ（図９参照）が当接するのを防ぐための切欠部３９ａが設けられている。また、下部ガイド片４０は、用紙ガイドリブ３８から下部カバー２８の下部内面に向けて離間した状態で斜めに配置されており、その先端（図５では左側）には、鋸歯状のガイド片４０ａが設けられている。この鋸歯状のガイド片４０ａは、ガイドシート３５と同様、ＰＥＴなどの合成樹脂製のシートからなり、先端部が鋸歯状に形成されていることにより、記録用紙１２に対する接触面を小さくして摩擦抵抗を軽減するように構成されている。
【００３８】
また、用紙ガイド部材３１の両側面には、図８に示すように、防滴カバー１５の上部カバー２７の両側内面に向けて突出する突起部４１がそれぞれ設けられている。また、上部カバー２７の両側内面には、図８〜図１３に示すように、カバーガイドリブ４２が上下方向に沿ってそれぞれ設けられている。このカバーガイドリブ４２は、カバーヒンジ部２９を中心に上部カバー２７が上下方向に回動して上部カバー２７の側面に位置する防水パッキン３０が本体ケース１の側面に接触するときに、図１１および図１３に示すように、カバーガイドリブ４２が突起部４１に接触して上部カバー２７の両側部を押し広げ、これにより上部カバー２７の側面に位置する防水パッキン３０が本体ケース１の側面に接触しないように構成されている。
【００３９】
また、このカバーガイドリブ４２は、上部カバー２７が回動して下部カバー２８の用紙受部２３上に配置されたロール状の記録用紙１２を覆って閉じたときに、図１２に示すように、カバーガイドリブ４２が突起部４１から離脱して上部カバー２７の側面に位置する防水パッキン３０を本体ケース１の側面に密着させるように構成されている。この場合、カバーガイドリブ４２は、上部カバー２７の両側内面に上下方向に設けられているが、上部カバー２７がカバーヒンジ部２９を中心に上下方向に回動することにより、この上部カバー２７に伴って上下方向に回転移動するため、突起部４１が固定状態であっても、上部カバー２７を閉じたときに、カバーガイドリブ４２が突起部４１から離脱するように構成されている。
【００４０】
次に、このような携帯型情報端末機を使用する場合について説明する。
まず、屋内で使用する場合には、図１に示すように、本体ケース１の後部側に取り付けられた用紙ホルダ１３内にロール状の記録用紙１２を収納する。このときには、用紙ホルダ１３の上部ホルダ２２をホルダヒンジ部２１を中心に上方に回動させて開き、この状態で下部ホルダ２０の用紙受部２３上にロール状の記録用紙１２を配置する。この後、上部ホルダ２２を回動させて閉じると、ロール状の記録用紙１２が用紙ホルダ１３内に収納されるので、この状態で使用することができる。この場合には、用紙ホルダ１３側に防滴カバー１５を取り付ける必要がなく、そのまま使用することができる。
【００４１】
また、屋外で使用する場合には、図２〜図４に示すように、本体ケース１の後部側に用紙ホルダ１３を覆う防滴カバー１５を装着する。このときには、図３に示すように、防滴カバー１５の下部カバー２８を本体ケース１の後側下部に装着して用紙ホルダ１３の下部ホルダ２０およびその下側のカード収納部１１のカード蓋１４を覆う。この場合には、予め、用紙ホルダ１３の上部ホルダ２２上に用紙ガイド部材３１を装着し、この用紙ガイド部材３１によって用紙排出口１８を露出させた状態で上部ホルダ２２を覆う。このときに、用紙ホルダ部材３１に設けられたガイドシート３５が用紙ホルダ部材３１の後部から下側に垂れ下がり、これにより下部カバー２０に設けられた下部ガイド部材３７の縦ガイド部３９の後側（図４では右側）を覆う。
【００４２】
この後、図２に示すように、防滴カバー１５の上部カバー２７を回動させて閉じると、用紙ホルダ１３上に装着された用紙ガイド部材３１が上部カバー２７で覆われる。これにより、図４に示すように、本体ケース１の用紙排出口１８が上部カバー２７で覆われると共に、用紙ガイド部材３１およびガイドシート３５の各外面と防滴カバー１５の内面との間に印字された記録用紙１２を搬送する用紙搬送路３４が防滴カバー１５の内面に沿って形成される。すなわち、この用紙搬送路３４は、用紙排出口１８から用紙ガイド部材３１の上面を経て、用紙ガイド部材３１のガイドシート３５の後面側から用紙ホルダ１３の下側、つまりカード蓋１４の下面および本体ケース１の下面に亘って形成される。
【００４３】
この状態で、本体ケース１のキー入力部４および入力表示部２を入力操作して情報を入力すると、その入力された情報が入力表示部２に表示され、この表示された情報をプリンタ部１０で記録用紙１２に印字することができる。このときには、プリンタ部１０の印字ヘッド１６とプラテンローラ１７との間に用紙ホルダ１３内の記録用紙１２が送り込まれると、この送り込まれた記録用紙１２に印字ヘッド１６が情報を印字すると共に、この印字ヘッド１６の印字速度に応じてプラテンローラ１７が回転して記録用紙１２を搬送し、印字された記録用紙１２を本体ケース１の用紙排出口１８から上方に送り出す。
【００４４】
この送り出された印字済の記録用紙１２は、図４に示すように、用紙搬送路３４に送り込まれ、防滴カバー１５の上部カバー２７の内面と用紙ガイド部材３１の外面とによってガイドされて用紙ホルダ１３の上部側から後部側に搬送されると共に、上部カバー２７の後部内面と用紙ガイド部材３１のガイドシート３５とによってガイドされて防滴カバー１５の後部下側に搬送される。このとき、印字された記録用紙１２が長尺の場合には、印字された記録用紙１２は、更に下部カバー２８の後部下側に位置する内側角部に設けられた用紙ガイドリブ３８と下部ガイド部材３８とによってガイドされて、下部カバー２８の下部上面と用紙ホルダ１３のカード蓋１４の下面との間、および下部カバー２８の下部上面と本体ケース１の下面との間に送り込まれて収納される。
【００４５】
このように、この携帯型情報端末機によれば、用紙排出口１８が設けられた部分の本体ケース１の上面から本体ケース１の後部に取り付けられた用紙ホルダ１３の後方を経て本体ケース１の下面に亘って覆う防滴カバー１５を本体ケース１の後部側に着脱可能に取り付けたことにより、用紙排出口１８から送り出された印字済の記録用紙１２を防滴カバー１５内に収納することができる。このため、印字された記録用紙１２が長尺であっても、防滴カバー１５によって印字された記録用紙１２が外部に露出しないように覆うことができ、これにより雨天のときに屋外で使用しても、印字された記録用紙１２が雨水によって濡れないように確実に保護することができる。
【００４６】
この場合、防滴カバー１５が、本体ケース１の後部および用紙ホルダ１３の各上部側を覆う上部カバー２７と、本体ケース１の後部および用紙ホルダ１３の下部側を覆う下部カバー２８とを備え、上部カバー２７と下部カバー２８とをカバーヒンジ部２９によって回動可能に取り付けたことにより、記録用紙１２を交換するときに、防滴カバー１５を本体ケース１から取り外す必要がなく、カバーヒンジ部２９を中心に上部カバー２７を回動させて開くことにより、用紙ホルダ１３の上部ホルダ２２を用紙ガイド部材３１と共に回動させて開くことができ、これにより記録用紙１２を容易に交換することができるので、使い勝手の良いものを得ることができる。
【００４７】
また、この防滴カバー１５は、上部カバー２７と下部カバー２８との各縁部に、本体ケース１の外表面に密着する防水パッキン３０が設けられていることにより、上部カバー２７を回動させて下部カバー２８に対し閉じて、防滴カバー１５が本体ケース１および用紙ホルダ１３を覆ったときに、防水パッキン３０が本体ケース１の外表面に密着するので、上部カバー２７と下部カバー２８とがカバーヒンジ部２９によって回動可能に取り付けられていても、防滴性を確保することができる。
【００４８】
特に、この携帯型情報端末機の防滴構造では、用紙排出口１８から送り出された印字済の記録用紙１２を防滴カバー１５の内面に沿ってガイドする用紙ガイド部材３１が用紙ホルダ１３の上部ホルダ２２に着脱可能に取り付けられているので、用紙排出口１８から送り出された印字済の記録用紙１２を防滴カバー１５の上部カバー２７の内面に沿って円滑にガイドすることができる。このため、搬送時における記録用紙１２のひっかかりを防ぐと共に記録用紙１２の摩擦抵抗をも軽減することができるので、プリンタ部１０の搬送力が弱くても、良好に記録用紙１２を搬送することができる。これにより、プリンタ部１０の消費電力を抑えることができ、電池寿命の向上が図れると共に、電池残量が少なくても安定した状態で印字や用紙の搬送ができる。
【００４９】
この場合、用紙ガイド部材３１には、印字済の記録用紙１２を用紙ホルダ１３の後方における上部側から下部側に亘ってガイドするガイドシート３５が設けられていることにより、用紙ホルダ１３の後部側にホルダヒンジ部２１や下部ガイド部材３８などの凹凸部となる障害物が存在していても、この障害物をガイドシート３５で覆うことができ、これにより印字された記録用紙１２をガイドシート３５で円滑にガイドすることができる。
【００５０】
このため、これによっても搬送時における記録用紙１２のひっかかりを防ぐと共に記録用紙１２の摩擦抵抗をも軽減することができるので、プリンタ部１０の消費電力を抑えて電池寿命の向上を図ることができる。特に、ガイドシート３５は、その上部側の先端が用紙ガイド部材３１のスリット孔３６から挿入されて用紙ガイド部材３１の内面に接着されているので、このガイドシート３５の先端部に印字された記録用紙１２がひっかかることがなく、これによっても印字された記録用紙１２を円滑にガイドすることができる。
【００５１】
また、防滴カバー１５の下部カバー２８の後部下側に位置する内側角部には、その側面から下面に向けて印字済の記録用紙１２をほぼ直角に屈曲させてガイドするほぼ三日月状の用紙ガイドリブ３８が設けられていることにより、防滴カバー１５の後部下側に位置する内側角部がその側面から下面に向けてほぼ直角に折れ曲がっていても、用紙ガイドリブ３８によって記録用紙１２を滑らかに側面から下面に向けてガイドすることができ、これによっても搬送時における記録用紙１２のひっかかりを防ぐと共に記録用紙１２の摩擦抵抗をも軽減することができるので、より一層、プリンタ部１０の消費電力を抑えて電池寿命の向上を図ることができる。
【００５２】
さらに、この携帯型情報端末機では、用紙ガイド部材３５の両側面に上部カバー２７の両側内面に向けて突出する突起部４１が設けられ、上部カバー２７の両側内面にはカバーヒンジ部２９を中心に上部カバー２７が回動するときに、突起部４１に接触して上部カバー２７の両側部を押し広げるカバーガイドリブ４２が設けられていることにより、下部カバー２８に対し上部カバー２７を開閉するときに、上部カバー２７に設けられた防水パッキン３０が本体ケース１の両側面に密接して摺動するのを防ぐことができ、これにより防水パッキン３０の摩耗を防ぎ、耐久性の向上を図ることができる。
【００５３】
なお、上記実施形態では、携帯型電子機器として、携帯型情報端末機に適用した場合について述べたが、これに限らず、ＰＤＡ（パーソナル・デジタル・アシスタント）などのプリンタ部を備えた他の携帯型の電子機器にも広く適用することができる。
【図面の簡単な説明】
【００５４】
【図１】この発明を適用した携帯型情報端末機の外観斜視図である。
【図２】図１の本体ケースに防滴カバーを装着した状態の要部の斜視図である。
【図３】図２の分解斜視図である。
【図４】図２のＡ−Ａ矢視における拡大断面図である。
【図５】図３の防滴カバーの斜視図である。
【図６】図５において下部ガイド部材を分解した斜視図である。
【図７】図３の用紙ガイド部材を示した斜視図である。
【図８】図２において防滴カバーの上部カバーを開いた状態を示した斜視図である。
【図９】図８の側面図である。
【図１０】図９の上部カバーを閉じる方向に回動させた状態を示した側面図である。
【図１１】図１０の状態で上部カバーを更に回動させて上部カバーのカバーガイドリブに用紙ホルダの突起部が当接して押し広げられるときの側面図である。
【図１２】図１１の状態で上部カバーを完全に閉じて用紙ホルダの突起部から上部カバーのカバーガイドリブが離脱した状態の側面図である。
【図１３】図１１の状態における上部カバーの側面が突起部によって押し広げられたときの状態を示した要部の拡大正面図である。
【符号の説明】
【００５５】
１  本体ケース
１０  プリンタ部
１２  記録用紙
１３  用紙ホルダ
１５  防滴カバー
１８  用紙排出口
２７  上部カバー
２８  下部カバー
２９  カバーヒンジ部
３０  防水パッキン
３１  用紙ガイド部材
３４  用紙搬送路
３５  ガイドシート
３８  用紙ガイドリブ
４１  突起部
４２  カバーガイドリブ
【図１】
2005288992.tif 000003
【図２】
2005288992.tif 000004
【図３】
2005288992.tif 000005
【図４】
2005288992.tif 000006
【図５】
2005288992.tif 000007
【図６】
2005288992.tif 000008
【図７】
2005288992.tif 000009
【図８】
2005288992.tif 000010
【図９】
2005288992.tif 000011
【図１０】
2005288992.tif 000012
【図１１】
2005288992.tif 000013
【図１２】
2005288992.tif 000014
【図１３】
2005288992.tif 000015